(57)【要約】【課題】  複数の操作部を有する排水栓装置に関し、一方の操作部が故障しても、他方の操作部によって弁体の昇降操作が可能となる排水栓装置の提供を目的とする。【解決手段】    操作装置５は手動操作部５１及び電動操作部５２を有し、当該手動操作部５１は電動操作部５２の動作に連動する構造となっている。又、操作装置５は把持部３０を把持し、操作軸２１を回動させることで、手動操作部５１と電動操作部５２の連動状態を解除する解除機構を備えており、当該解除機構によって電動操作部５２の故障時にも手動操作部５１による操作が可能となる。又、当該解除機構は回動方向及び回動可能な角度を規制する規制機構を備えており、誤方向への回動や過度の回動に伴う解除の失敗や部材の破損を防止する。【選択図】図１
2018131741.tif 000002
【特許請求の範囲】
【請求項１】
槽体に形成された排水口と、
排水口の開閉を行う弁体と、
弁体の操作を行う操作装置から成る排水栓装置において、
上記操作装置は操作部と把持部を備え、
操作部は手動操作に基づいて排水口の開閉を行う手動操作部であって、
把持部は手動操作部内に配置されているとともに、当該手動操作部に対して取付可能に配置されていることを特徴とする排水栓装置。
【請求項２】
槽体に形成された排水口と、
排水口の開閉を行う弁体と、
弁体の操作を行う操作装置から成る排水栓装置において、
上記操作装置は複数の操作部と解除機構を備え、
少なくとも１つの操作部は手動操作に基づいて排水口の開閉を行う手動操作部であって、当該手動操作部は他の操作部の動作と連動し、
解除機構は回動操作を加えることによって上記連動を解除可能であるとともに、回動範囲を規制する規制機構を有することを特徴とする排水栓装置。
【請求項３】
上記解除機構は把持部を有し、当該把持部に回動操作を加えることによって上記連動を解除可能であって、把持部は手動操作部内に配置されているとともに、当該手動操作部着脱可能に配置されていることを特徴とする請求項２に記載の排水栓装置。
【請求項４】
上記手動操作部は、直接押動操作を行うボタン部と、ボタン部の裏面より接続された操作軸を有し、
上記把持部は、操作軸に対して着脱可能に取り付けられていることを特徴とする請求項１又は請求項３に記載の排水栓装置。
【請求項５】
上記操作部は槽体に形成された貫通口に挿通されるケーシングの内部に配置され、
把持部はケーシングの内周に沿って当接するガイド部を備えることを特徴とする請求項１又は請求項３又は請求項４に記載の排水栓装置。
【請求項６】
上記複数の操作部の内、
少なくとも１つの操作部は電気信号に基づいて排水口の開閉を行う電動操作部であって、
当該電動操作部は、駆動部の動作を手動操作部に伝達する動作伝達部を備えることを特徴とする請求項１乃至請求項５のいずれか１つに記載の排水栓装置。
【発明の詳細な説明】
【技術分野】
【０００１】
本発明は、浴槽や洗面ボウル、シンク等の槽体に形成された排水口の開閉を行う排水栓装置に関するものである。
【背景技術】
【０００２】
従来から、槽体に形成された排水口の開閉を行うための排水栓装置として、特許文献１に記載の構成が知られている。
【０００３】
特許文献１には、操作装置に対する操作によって弁体を操作し、槽体底部に形成された排水口の開閉を行う排水栓装置が記載されている。
【０００４】
上記排水栓装置の操作装置は２つの操作部から成り、一方は使用者が直接押動による手動操作に基づいて弁体を昇降させる手動操作部であって、他方は電気信号に基づいて弁体を昇降させる電動操作部である。
手動操作部は上記押動操作を弁体へと伝達するレリースワイヤと、弁体の上昇状態を保持するロック機構が連結されており、押動操作の都度弁体の上昇状態と下降状態を切り替えることが可能となる。
一方、電動操作は駆動部としてのモータを備え、当該モータの回動を直線運動へと変換するとともに、当該直線運動を、動作伝達部を介して手動操作部へと伝達する。
【先行技術文献】
【特許文献】
【０００５】
【特許文献１】特開２００３−２４７２５４号公報
【発明の概要】
【発明が解決しようとする課題】
【０００６】
ここで、上記特許文献１に記載の排水栓装置において、手動操作部は電動操作部の動作と連動する様構成されており、電動操作部による操作が行われた場合、動作伝達部によって手動操作部へと電動操作部の動作が伝達される。即ち、手動操作部は直接操作によって作動し、電動操作部は電気信号によって手動操作部を間接的に作動させる構造である。従って、電動操作部が作動中に故障し、その動作が停止してしまった場合、手動操作部と動作伝達部が干渉してしまうため、手動操作も電動操作も行うことが不可能となるという問題を有していた。
又、上記問題が生じた場合には、槽体のエプロン部を取り外し、ユニット化された電動操作部を取り外す必要があるが、当該作業は一般の使用者には困難であった。
【０００７】
本発明は上記問題に鑑み発明されたものであって、複数の操作部を有する排水栓装置に関し、一方の操作部が故障しても、他方の操作部によって弁体の昇降操作が可能となる排水栓装置の提供を目的とする。
【課題を解決するための手段】
【０００８】
請求項１に記載の本発明は、槽体に形成された排水口と、
排水口の開閉を行う弁体と、
弁体の操作を行う操作装置から成る排水栓装置において、
上記操作装置は操作部と把持部を備え、
操作部は手動操作に基づいて排水口の開閉を行う手動操作部であって、
把持部は手動操作部内に配置されているとともに、当該手動操作部に対して取付可能に配置されていることを特徴とする排水栓装置である。
【０００９】
請求項２に記載の本発明は、槽体に形成された排水口と、
排水口の開閉を行う弁体と、
弁体の操作を行う操作装置から成る排水栓装置において、
上記操作装置は複数の操作部と解除機構を備え、
少なくとも１つの操作部は手動操作に基づいて排水口の開閉を行う手動操作部であって、当該手動操作部は他の操作部の動作と連動し、
解除機構は回動操作を加えることによって上記連動を解除可能であるとともに、回動範囲を規制する規制機構を有することを特徴とする排水栓装置である。
【００１０】
請求項３に記載の本発明は、上記解除機構は把持部を有し、当該把持部に回動操作を加えることによって上記連動を解除可能であって、把持部は手動操作部内に配置されているとともに、当該手動操作部着脱可能に配置されていることを特徴とする請求項２に記載の排水栓装置である。
【００１１】
請求項４に記載の本発明は、上記手動操作部は、直接押動操作を行うボタン部と、ボタン部の裏面より接続された操作軸を有し、
上記把持部は、操作軸に対して着脱可能に取り付けられていることを特徴とする請求項１又は請求項３に記載の排水栓装置である。
【００１２】
請求項５に記載の本発明は、上記操作部は槽体に形成された貫通口に挿通されるケーシングの内部に配置され、
把持部はケーシングの内周に沿って当接するガイド部を備えることを特徴とする請求項１又は請求項３又は請求項４に記載の排水栓装置である。
【００１３】
請求項６に記載の本発明は、上記複数の操作部の内、
少なくとも１つの操作部は電気信号に基づいて排水口の開閉を行う電動操作部であって、
当該電動操作部は、駆動部の動作を手動操作部に伝達する動作伝達部を備えることを特徴とする請求項１乃至請求項５のいずれか１つに記載の排水栓装置である。
【発明の効果】
【００１４】
上記本発明によれば、手動操作部内に把持部が配置されるとともに、把持部が当該手動操作部内に着脱可能となるよう配置されているため、配管レイアウト性や施工性等が向上する。即ち、今までは把持部は手動操作部に対して一体に形成されていたのに比べ、装置形状の設計における自由度が向上する。
又、操作装置が解除機構を備えることにより手動操作部と他の操作部との連動を容易に解除することができる。又、解除機構が回動を規制する規制機構を備えることから、過度に解除機構を回動させてしまったり、回動方向を間違えたり、といった操作ミスによる部材の破損を未然に防ぐことが可能となる。
さらに、把持部は操作軸に着脱可能であるため、手動操作部と他の操作部との連動を解除するのに際し、ボタン部を取り外すだけで解除機構を操作可能となる。又、この時把持部がガイドの役割をはたし、操作機構の作動性が向上する。
【図面の簡単な説明】
【００１５】
【図１】本発明の排水栓装置の施工状態を示す断面図である。
【図２】図１のＡ−Ａ’断面図である。
【図３】本発明の操作軸、把持部、動作伝達部を示す分解斜視図である。
【図４】操作軸の平面図である。
【図５】（ａ）図３のＡ矢視図（ｂ）図３のＢ矢視図である。
【図６】動作伝達部を示す（ａ）正面図（ｂ）背面図である。
【図７】動作伝達部を示す平面図である。
【図８】手動操作部を作動させた状態を示す断面図である。
【図９】電動作動部を作動させた状態を示す断面図である。
【図１０】（ａ）手動操作部が連動している状態における操作装置の要部を示す断面図である。（ｂ）手動操作部の連動が解除された状態における操作装置の要部を示す断面図である。
【図１１】解除機構を作動させた状態を示す断面図である。
【図１２】解除機構が作動し、手動操作部の連動が解除された状態を示す断面図である。
【発明を実施するための形態】
【００１６】
以下に、本発明の弁体を、図面を参照しつつ説明する。尚、以下に記載する説明は実施形態の理解を容易にするものであって、これによって本発明が制限して理解されるものではない。又、以下の実施形態においては、特に断りの無い限り図１に示す施工状態を基準として上下左右を説明する。
【００１７】
本実施形態の排水栓装置は図１乃至図１２に示すように、槽体１の排水口を開閉する弁体４と、弁体４の昇降を操作する操作装置５、及び当該弁体４の昇降状態を保持するロック機構４５を有している。
【００１８】
槽体１は上方が開放された箱状の浴槽であり、底部には円形の孔部が開口され、当該底部の孔部には円筒状の排水栓２が取り付けられている。又、槽体１の縁部には弁体４を遠隔的に操作するための操作装置５が取り付けられている。
排水栓２は槽体１の底面の孔部に配置された略円筒状の部材であって、軸方向に開口された貫通孔によって排水流路が形成されている。排水栓２の外周には雄螺子が螺刻されており、上端において外側に向けて鍔部が形成されている。又、排水栓２は内周において、ワイヤ受け３が嵌合されているとともに、当該ワイヤ受け３にはレリースワイヤ５０の端部が保持されている。尚、上記貫通孔は排水栓２が槽体１の底面に取り付けられた際、槽体１内の湯水を排出するための排水口として機能する。
【００１９】
ロック機構４５は内部にギアを備えており、操作装置５に加えられた操作によって弁体４が上昇した際、上記ギアの噛合により当該弁体４の上昇状態を保持するものであり、更にもう一度操作装置５に操作が加えられると、上記ギアの噛合が解除されてスプリングにより弁体４が下降し排水口を閉塞するよう構成されている。尚、ロック機構４５は上方に向けて延設されたロッド部４６を有し、当該ロッド部４６が押し下げられることによって作動する。
【００２０】
レリースワイヤ５０は中空の筒状である樹脂製のアウターチューブと、金属の撚り線であるインナーワイヤから成り、操作装置５に操作が加えられるとインナーワイヤがアウターチューブ内部を摺動することで操作装置５の操作を弁体４へと伝達する。即ち、インナーワイヤが弁体４側へ向けて摺動した際には弁体４を上昇させ、逆に、インナーワイヤが操作装置５側へ向けて摺動した際には弁体４を下降させる。
【００２１】
弁体４は外周にパッキンが嵌着された止水部材であり、その裏面において弁軸４０先端が嵌合されており、レリースワイヤ５０によって操作装置５の操作が伝達されることにより昇降し、排水口の開閉を行う。
【００２２】
操作装置５は手動操作に基づいて排水口の開閉を行う手動操作部５１と、電気信号に基づいて排水口の開閉を行う電動操作部５２を有しており、ケーシング６、ボタン部２０、操作軸２１、把持部３０、動作伝達部３５、モータ４１から構成されている。尚、手動操作部５１はケーシング６、ボタン部２０、操作軸２１から構成され、電動操作部５２はケーシング６、図示しない電動ボタン部、基盤、動作伝達部３５、及びモータ４１から構成されている。又、手動操作部５１は電動操作部５２の動作に連動するよう構成されており、操作装置５は操作軸２１を回動させることにより当該連動を解除する解除機構を備えている。
【００２３】
ケーシング６は内部に操作装置５の部材を収納する箱体であって、ケーシング上部６ａ、ケーシング中部６ｂ、ケーシング下部６ｃより構成され、それぞれがＣ字リングによって接続されている。尚、ケーシング上部６ａ、ケーシング中部６ｂ、及びケーシング下部６ｃをまとめて指す場合は「ケーシング６」と記載する。
【００２４】
ケーシング上部６ａは槽体１の縁部に形成された貫通口に取り付けられており、上端に形成されたフランジ部分とナットによって当該貫通口を挟持している。又、ケーシング上部６ａは中空の筒状であり、内部にはボタン部２０及び操作軸２１が配置されている。
【００２５】
ケーシング中部６ｂは中央に形成された機構室７と、機構室７の外周に形成された迂回路８による二層構造として壁部９により区画されており、その正面は蓋体１３によって閉塞されている。尚、それぞれの空間はパッキンによって完全に止水されており、迂回路８内の排水が機構室７に流入することはない。又、図２に示すように、ケーシング６の背面側にはモータ４１を収納する空間が形成されている。
機構室７は内部に従動部２３及び動作伝達部３５等が配置された空間であり、壁部９の下方にはロッド部４６が、上方には操作軸２１が挿通される貫通口がそれぞれ形成されている。尚、各貫通口はロッド部４６及び操作軸２１の外径と略同一であるとともに、パッキンが配置されており、当該パッキンがロッド部４６及び操作軸２１と水密に当接しているため、上流側からも下流側からも内部に排水が流入することはない。又、機構室７には、手動操作部５１が電動操作部５２と連動状態にある時に従動部２３の突条部２６が収納される収納部１０が形成されている。収納部１０は機構室７の背面に凹設されているともに、上下方向に延設されており、当該収納部１０に収納された状態の従動部２３は、手動操作部５１と電動操作部５２の連動を解除する方向にのみ回動可能となっている。
迂回路８は機構室７の外側に形成された排水流路であり、ケーシング６の上方から流入した排水を通過させ、下流側へと排出する。
モータ４１は図示しない電動ボタン部に対する操作をうけ回動する回転軸を備えており、当該回転軸先端に取り付けられたピニオンギア４２が機構室７内に突出しているが、図示しないパッキンによって機構室７とモータ４１が収納されている空間も完全に止水されている。
【００２６】
ケーシング下部６ｃは内部にロック機構４５が固定されている。尚、この時ロッド部４６はケーシング上部６ａ上端よりも上方に向けて延設されている。又、ケーシング中部６ｂとケーシング下部６ｃが接続された状態において、上記ロッド部４６は機構室７内に挿通されるとともに、操作軸２１と連結している。又、ケーシング下部６ｃは下端においてゴム製のアウターチューブ１５が取り付けられており、レリースワイヤ５０のガイドを行うとともに、ケーシング６内に流入した排水を排水口から続く排水流路へと排出することができる。
【００２７】
ボタン部２０は直接押動されることにより上下動する平面視略円形の操作ボタンであって、その上面は浴室内に露出している。又、ボタン部２０は裏面に操作軸２１が接続されている。
【００２８】
図２乃至図５に示すように、操作軸２１は上下方向に延設された円筒状であって、図４に示すようにその上方は平面視おいて略十字形状のリブ２２が外側に向けて突設されており、下端には従動部２３が形成されている。又、上記リブ２２外周には後述する把持部３０が着脱自在に取り付けられている。
従動部２３は操作軸２１の下端に形成された拡径部分であって、後述する動作伝達部３５と当接するように構成された段部２４と、軸方向に延設された溝部２５と、従動部２３よりも更に外側に突設された突条部２６を有している。段部２４は従動部２３の上面部分であって、図４及び図５に示すように、二箇所の溝部２５によってその一部が切り欠かれている。尚、当該溝部２５は上下方向に延設されているが、従動部２３の下端までは形成されていない。突条部２６は従動部２３よりも外側に向けて突設されているとともに、上下方向に延設されている。突条部２６は後述する動作伝達部３５の係止部３９に対応するよう構成されており、係止部３９と当接する位置まで延設されている。又、図２に示すように、突条部２６は手動操作部５１が電動操作部５２に連動している状態において、ケーシング中部６ｂ内面に形成された収納部１０内に配置されており、操作軸２１は係止部３９と反対方向（図２における右回り方向）には回転することはできない。
又、従動部２３は内に図示しない磁石を内部に備えており、当該磁石はセンサによって位置情報が検知可能となっている。
【００２９】
把持部３０は内部に上記操作軸２１を挿通可能に形成された平面視略十字形状の挿通口３１を有し、外周から外側に向けて四箇所のガイド部３２が平面視略十字形状となるように突設されている。
このため、ガイド部３２は把持部３を着脱自在に取り付けることができる。
尚、各ガイド部３２の外側への突設幅はケーシング上部６ａの下端内周面の半径とほぼ同一であり、手動操作部５１が上下方向に変位する際、当該手動操作部５１の揺動を防ぐガイドとして機能する。又、ガイド部３２は手動操作部５１と電動操作部５２との連動を解除する際に把持し、操作軸２１を回動させることが可能となっている。
【００３０】
動作伝達部３５は図６及び図７に示すように、背面側が開放された平面視半円形状を成し、一方の側面には軸方向にラックギア３６が形成され、駆動部であるモータ４１の回転軸に取り付けられたピニオンギア４２と噛合している。又、動作伝達部３５はラックギア３６が形成されている側と対向する他方の内周面下端において、上記突条部２６に対応するよう内側に向けて突設された係止部３９が形成されている。又、動作伝達部３５は図５（ｂ）に示すように、上端より内側に向けて当接部３７が形成されており、当該当接部３７は手動操作部５１が電動操作部５２と連動状態にあり、且つ電動操作部５２が駆動した際に段部２４と当接部３７が当接するよう構成されている。ここで、当接部３７にはスリット３８が形成されている。手動操作部５１と電動操作部５２との連動状態が解除された際、段部２４はスリット３８の直下に配置され、当接部３７は段部２４と非当接状態となる。
上記動作伝達部３５はケーシング中部６ｂと蓋体１３によって挟持されており、モータ４１が駆動した際にはピニオンギア４２の回動に基づいて上下方向にのみ変位可能となっている。
【００３１】
モータ４１はケーシング６の背面に形成された空間内に配置され、図示しない電動ボタン部、基盤及び電源と連結されており、電動ボタンが操作された際、基盤からの電気信号に基づいてピニオンギア４２を所定方向に回動させる。尚、モータ４１は電気信号に基づいて双方向に回転可能である。
【００３２】
以下に、本発明の排水栓装置の施工について説明する。
【００３３】
本実施形態の排水栓装置においては、操作装置５を、工場において以下の状態まで組み立てる。
まず、ケーシング下部６ｃにロック機構４５を取り付ける。次に、ケーシング中部６ｂに対して下方からケーシング下部６ｃを取り付ける。この時、ロッド部４６は迂回路８と機構室７を区画する壁部９の下方に形成された貫通口に挿通され、端部が機構室７内に配置される。
次に、操作軸２１をケーシング中部６ｂ内に配置する。この時、操作軸２１は把持部３０が取り付けられていない状態で、機構室７の内側より壁部９上方に形成された貫通口に挿通され、その端部がケーシング中部６ｂの上端よりも上方に位置する。
ここで、壁部９の上方及び下方に形成された貫通口にはそれぞれパッキンが配置されており、各パッキンがロッド部４６及び操作軸２１と当接することによって水密状態となる。従って、迂回路８内を流れる排水が機構室７へと流入することはない。
次に、操作軸２１に把持部３０を挿通し、取り付ける。尚、上記壁部９上方に形成された貫通口は操作軸２１の外径とほぼ同径であり、把持部３０よりも小径となっているが、本発明においては把持部３０を操作軸２１とは別部材としているため、操作軸２１を配置した後に把持部３０を取り付けることが可能となる。又、操作軸２１には略十字形状のリブ２２が形成されており、把持部３０にも略同一形状の挿通口３１が形成されている。従って、操作軸２１に取り付けられた把持部３０を回動させると、操作軸２１も共に回動する。
次に、動作伝達部３５を従動部２３に覆い被せるようにして取り付ける。この時、動作伝達部３５は平面視略半円形状であることから、操作軸２１を挿通する作業を行うことなく容易に取り付けることが可能となる。そして、図示しないビスを用いてケーシング中部６ｂに対して蓋体１３を取り付ける。この時、動作伝達部３５はケーシング中部６ｂと蓋体１３によって挟持されるため、上下方向にのみ変位可能となる。
以上で、工場における操作装置５の組み立ては完了となる。
次に、現場において、槽体１の縁部に形成された開口に、ケーシング上部６ａを取り付ける。そして、当該ケーシング上部６ａの下方よりケーシング中部６ｂを取り付け、Ｃ字バンドにてケーシング上部６ａとケーシング下部６ｃを接続する。
次に、操作軸２１にボタン部２０を嵌合させた後、排水栓２下流側の配管にアウターチューブを取り付けるとともに、ワイヤ受け３に弁軸４０を固定し、弁体４を弁軸４０に嵌合させることで、本実施形態の排水栓装置の施工が完了する。
【００３４】
次に、本実施形態の排水栓装置の動作について説明する。
【００３５】
まず、手動操作部５１による操作について詳述する。
図１に示すように、弁体４が下降状態にあって、排水口を閉塞している際に、手動操作部５１に対する操作、即ちボタン部２０に対して直接押動操作が加えられると、ボタン部２０が下方に向けて変位するとともに、操作軸２１が下降する。この時、アウターチューブ内をインナーワイヤが弁体４側へと摺動し、弁体４を下方から突き上げて弁体４が上昇する。又、操作軸２１の下降に伴いロッド部４６が押し下げられてロック機構４５が作動し、弁体４の上昇状態が保持される。
この時、図８に示すように、動作伝達部３５はボタン部２０に押動操作が加えられる前の高さ位置に留まっており、ボタン部２０及び従動部２３のみが下降する。
【００３６】
上記弁体４の上昇状態において更にボタン部２０に対して直接押動操作が加えられると、ロック機構４５内のギアの噛合が解除されるため、インナーワイヤが操作装置５側に摺動することによって弁体４が下降する。又、弁体４の下降に伴いボタン部２０と操作軸２１が上昇し、元の場所に復帰する。
【００３７】
上記の通り、手動操作部５１による操作が行われている際、動作伝達部３５を含む電動操作部５２を構成する全ての部材は一切作動しない。
【００３８】
次に、電動操作部５２による操作について詳述する。
弁体４が下降状態にあって、排水口を閉塞している際に、図示しない電動ボタン部に操作が加えられると、電気信号に基づいてモータ４１が作動し、ピニオンギア４２が回動することでラックギア３６が下方へ変位し、動作伝達部３５が下降する。この時、図９に示すように、当接部３７が段部２４と当接し、従動部２３（操作軸２１）を押し下げることで電動操作部５２の動作を手動操作部５１へと伝達する。そして、手動操作部５１が下降することにより弁体４が上昇するとともに、ロック機構４５によって弁体４の上昇状態が保持される。
その後、図示しないセンサによって所定位置まで操作軸２１が下降したことが検知されると、モータ４１は逆回転を行い、動作伝達部３５が元の場所に復帰する。この時、操作装置５の各部材の位置関係は図８に示すように、手動操作部５１によって弁体４を上昇させた時と全く同一となる。
【００３９】
上記弁体４の上昇状態において更に電動ボタンに対して操作が加えられると、モータ４１が再び駆動し、動作伝達部３５が操作軸２１を押し下げることでロック機構４５内のギアの噛合が解除されて弁体４が下降する。この時、操作装置５の各部材の位置関係は図１のように、手動操作部５１の操作によって弁体４を下降させた時と全く同一となる。
【００４０】
以上のように、本発明において、手動操作部５１は電動操作部５２の動作に連動する構造となっている。そして、電動操作部５２に対して操作が加わった際には、モータ４１の駆動の都度動作伝達部３５が図１、図８に示す元の位置へと復帰する構造であるため、どのような操作を行った場合であっても、弁体４の上昇時や下降時における各部材の位置関係は必ず所定の配置となる。従って、電動操作部５２の操作後に手動操作部５１の操作を行うことや、手動操作部５１の操作後に電動操作部５２の操作を行うことが可能となる。
【００４１】
一方、砂やゴミ等の噛み込みやセンサの破損により、動作伝達部３５が図９のように下降した状態でモータ４１が停止してしまった場合、従動部２３と動作伝達部３５が干渉してしまい手動操作部５１による操作を行うことができない。当該場合においては、以下のように解除機構を作動させることで手動操作部５１と電動操作部５２の連動を解除することができる。
まず、図９の状態において、操作装置５よりボタン部２０を取り外す。尚、取り外しの際には吸盤をボタン部２０に吸着させ、引き上げる方法の他、ボタン部２０とケーシング６との隙間に棒等を差し込むことでも取り外すことが可能である。
次に、操作軸２１に取り付けられている把持部３０を把持し、操作軸２１を回動させる。この時、図１０（ａ）の状態より、図１０（ｂ）に示すように、突条部２６が係止部３９を乗り越え、手動操作部５１と電動操作部５２の連動状態が解除される。即ち、操作軸２１の回動によって、段部２４がスリット３８の直下に配置されると共に当接部３７の直下には溝部２５が配置されることで、従動部２３と動作伝達部３５が互いに干渉しない位置に配置される。これにより、図１１及び図１２に示すように、操作軸２１が元の位置に復帰することが可能となり、以降は手動操作部５１によってのみ弁体４の昇降操作が可能となる。尚、操作軸２１を回動させることにより、操作軸２１内部に配置された磁石がセンサの検知範囲外に位置し、電動操作部５２は作動不可能となる。
又、図１０（ａ）に示すように、手動操作部５１が電動操作部５２と連動状態にある時、突条部２６は収納部１０内に配置されており、連動を解除する方向にのみ回動させることができる。従って、作業者が誤った方向に操作軸２１を回動させることは不可能である。一方、手動操作部５１と電動操作部５２の連動を解除した状態において、突条部２６は動作伝達部３５の当接部３７と干渉するため、図１０（ｂ）に示す連動解除状態から更に同一方向に回動させることはできない。従って、手動操作部５１と電動操作部５２の連動を確実に解除することができる。ここで、手動操作部５１と電動操作部５２の連動が解除された状態において、操作軸２１を逆方向に回転（右回転）させることで、再び手動操作部５１を電動操作部５２に連動させることが可能である。この時、突条部２６が係止部３９を乗り越え、収納部１０内に配置され、手動操作部５１が再び連動状態となる。即ち、解除機構は手動操作部５１が電動操作部５２に連動している状態において、当該連動を解除する方向にのみ回動可能であり、連動が解除されている状態においては再び連動状態となる方向にのみ回動可能となるよう、回動範囲の規制機構を備えている。即ち、解除状態に応じて回動方向を規制するとともに、回転時には回動可能な角度を規制する。従って、誤方向への回動や過度の回動に伴う解除の失敗や部材の破損を防止することが可能となる。
【００４２】
上記本発明における排水栓装置は、連動の解除操作が容易であり、従来の排水栓装置のように、電動操作部５２が故障した際に槽体１のエプロン部を外して修理を行う、といった作業を省略することができる。従って、一般の使用者であっても連動の解除操作を行うことが可能となる。
【００４３】
尚、手動操作部５１と電動操作部５２との接続解除は一時的な対処であり、最終的には電動操作部５２を取り換える必要がある。その際にも把持部３０が着脱自在であると当該取り換える作業が容易となる。又、手動操作部５１内部に詰まりが生じた際等には、ボタン部２０及び把持部３０を取り外すことで内部の清掃が可能となる。
【００４４】
又、上記排水栓装置は、ボタン部２０とケーシング上部６ａの間は僅かな空間が形成されており、当該空間から排水が流入することがあるが、流入した排水はケーシング上部６ａを通過した後に、迂回路８内を通過し、ロック機構４５の外側を通り、下流側へと排出される。即ち、機構室７は壁部９に配置されたパッキンにより、内部に排水が流入してしまうことがない。従って、排水の流入により排水栓装置が故障することを防ぐことができる。
【００４５】
本発明における排水栓装置は以上であるが、本発明は上記実施形態の形状に限られるものではなく、発明の要旨を逸脱しない範囲において種々の変更を行うことが可能である。例えば、上記実施形態において、操作機構は手動操作部と電動操作部を有していたが、２つ以上の手動操作部のみを有していても良い。又、手動操作部や電動操作部を合計３つ以上有していても良い。
又、上記実施形態において、解除機構は手動操作部内に配置されていたが、解除機構を手動操作部とは別の場所に設けても良い。
又、電動操作部を駆動させるための電動ボタン部について、脱衣場やリビングの壁面等に設けても良く、配置箇所は適宜変更可能である。同様に、手動操作部は槽体の縁部に配置されていたが、槽体の側壁に配置するなど、配置箇所は適宜変更可能である。
【符号の説明】
【００４６】
１      槽体
２      排水栓
３      ワイヤ受け
４      弁体
５      操作装置
５１    手動操作部
５２    電動操作部
６      ケーシング
６ａ    ケーシング上部
６ｂ    ケーシング中部
６ｃ    ケーシング下部
７      機構室
８      迂回路
９      壁部
１０    収納部
１３    蓋体
１５    アウターチューブ
２０    ボタン部
２１    操作軸
２２    リブ
２３    従動部
２４    段部
２５    溝部
２６    突条部
３０    把持部
３１    挿通口
３２    ガイド部
３５    動作伝達部
３６    ラックギア
３７    当接部
３８    スリット
３９    係止部
４０    弁軸
４１    モータ
４２    ピニオンギア
４５    ロック機構
４６    ロッド部
５０    レリースワイヤ
【図１】
2018131741.tif 000003
【図２】
2018131741.tif 000004
【図３】
2018131741.tif 000005
【図４】
2018131741.tif 000006
【図５】
2018131741.tif 000007
【図６】
2018131741.tif 000008
【図７】
2018131741.tif 000009
【図８】
2018131741.tif 000010
【図９】
2018131741.tif 000011
【図１０】
2018131741.tif 000012
【図１１】
2018131741.tif 000013
【図１２】
2018131741.tif 000014